(57)【要約】【課題】ドレンパンに水垢が付着して固化するのを抑制することができ、若し、一部に水垢が生成しても大きく分解することもなく簡単に除去できて定期的なメンテナンスを減らすことのできる信頼性の高いドレンパンを供えた天井埋込型空気調和機を提供すること。【解決手段】本体部２内に配置された熱交換器３ａ、３ｂ及び送風機４と、熱交換器３ａ、３ｂの下部に配設されたドレンパン１０と、ドレンパン１０の上方に配設されたドレンポンプ７とを有し、ドレンパン１０の一方の側に、下部におねじ１５を有する円筒状の排水溝が設けられドレンパン１０に落下したドレン水が流入するほぼ漏斗状の水溜部１３を設けると共に、めねじ部１８を有し排水口１４に螺合するキャップ１７を設けた。【選択図】図１
2010169330.tif 000002
【特許請求の範囲】
【請求項１】
本体部内に配置された熱交換器及び送風機と、前記熱交換器の下部に配設されたドレンパンと、該ドレンパンの上方に配設されたドレンポンプとを有し、
前記ドレンパンの一方の側に、下部におねじを有する円筒状の排水溝が設けられドレンパンに落下したドレン水が流入するほぼ漏斗状の水溜部を設けると共に、めねじ部を有し前記排水口に螺合するキャップを設けたことを特徴とする天井埋込型空気調和機。
【請求項２】
前記ドレンパンを、水溜部が設けられた側を下方にして斜めに配置したことを特徴とする請求項１記載の天井埋込型空気調和機。
【請求項３】
前記水溜部を、透明又は半透明の材料で形成したことを特徴とする請求項１又は２記載の天井埋込型空気調和機。
【請求項４】
前記水溜部の上方にドレンポンプを配置したことを特徴とする請求項１〜３のいずれかに記載の天井埋込型空気調和機。
【発明の詳細な説明】
【技術分野】
【０００１】
本発明は、天井埋込型空気調和機に係り、より詳しくは、熱交換器の下部に設けたドレンパンの改良に関するものである。
【背景技術】
【０００２】
空気調和機は、通常、冷媒運転時又は除湿運転時には、冷媒の蒸発熱によって熱交換器が冷却され、送風機によって吸い込まれた外気が熱交換器を通過する際に熱交換され、冷風が発生する。その過程において、熱交換器に結露水又は除湿水が発生し、これが熱交換器の下部に設けたドレンパンに落下し、回収されるようになっている。
【０００３】
従来の天井埋込型空気調和機に、熱交換器で生成されるドレン水を受けるドレンパンと、このドレンパンに溜まったドレン水を外部に排出するためのドレンポンプとを有し、ドレンパンには、ドレンポンプの下方にドレン水を排水するためのドレン口と、これを着脱自在に水密に封止するドレンキャップとを設け、さらにドレンキャップに排水口孔を設けて、この排水孔を着脱自在に水密に固定する排水栓を設けたものがある（例えば、特許文献１参照）。
【先行技術文献】
【特許文献】
【０００４】
【特許文献１】特開２００７−８５６９０号公報（第４頁、図１）
【発明の概要】
【発明が解決しようとする課題】
【０００５】
特許文献１のドレンパンは、これに設けたドレン口がめねじで形成されているため、めねじ部に水垢が溜り易く、時間の経過と共に固化して除去が困難になり、これに螺入したドレンキャップが抜け難くなることがある。
また、ドレンキャップの排水孔に排水栓を着脱可能に設けているが、水垢の付着により排水栓が抜け難くなり、無理に抜くとドレンキャップにひび割れを生じるおそれがあった。
さらに、ドレン口や排水栓に水垢が溜まり易いため、これら水垢がドレンパン故障の要因になっていた。
【０００６】
本発明は、上記の課題を解決するためになされたもので、ドレンパンに水垢が付着して固化するのを抑制することができ、若し、一部に水垢が生成しても大きく分解することもなく簡単に除去できて定期的なメンテナンスを減らすことのできる信頼性の高いドレンパンを供えた天井埋込型空気調和機を提供することを目的とするものである。
【課題を解決するための手段】
【０００７】
本発明に係る天井埋込型空気調和機は、本体部内に配置された熱交換器及び送風機と、熱交換器の下部に配設されたドレンパンと、ドレンパンの上方に配設されたドレンポンプとを有し、ドレンパンの一方の側に、下部におねじを有する円筒状の排水溝が設けられ、ドレンパンに落下したドレン水が流入するほぼ漏斗状の水溜部を設けると共に、めねじ部を有し排水口に螺合するキャップを設けたものである。
【発明の効果】
【０００８】
本発明によれば、熱交換器からドレンパンに滴下したドレン水を水溜部に集約するようにしたので、ドレンポンプによりドレン水を確実に排出することができる。また、ドレンパン内にドレン水が溜まって水垢が生成されることがないので、定期的なメンテナンスの回数を減らすことができる。
また、若し水溜部にドレン水が残っているときは、キャップを外してドレン水を排水すればよく、排出口の内壁にはねじ等の凹凸がなく平坦なので、ドレン水が溜まったり固化したりすることがない、信頼性の高いドレンパンを供えた天井埋込型空気調和機を得ることができる。
【図面の簡単な説明】
【０００９】
【図１】本発明の一実施の形態に係る天井埋込型空気調和機の模式的説明図である。
【図２】一部を断面で示した図１のドレンパンの側面図及び要部の拡大図である。
【図３】図２の下面図である。
【発明を実施するための形態】
【００１０】
図１は本発明の一実施の形態に係る天井埋込型空気調和機の模式的説明図、図２は一部を断面で示した図１のドレンパンの側面図及びその要部の拡大図、図３は図２の下面図である。
【００１１】
天井３０に埋め込まれた天井埋込型空気調和機１の本体部２内には、ほぼＶ字状に配設された熱交換器３ａ、３ｂが設けられており、熱交換器３ａ、３ｂの間には送風機４が配設されている。５は熱交換器３ａ、３ｂの上流側に設けられた吸込側の風路、６は送風機４の下流側に設けた吹出し側の風路である。
【００１２】
１０は熱交換器３ａ、３ｂの下部に設置された例えば樹脂製のドレンパンで、長手方向に沿って熱交換器３ａ、３ｂから滴下するドレン水を受ける溝１１が設けられている。そして、長手方向の一方の側の底部に設けた開口部１２には、ほぼ漏斗状で下端部に円筒状の排水口１４を有する、例えば樹脂製の水溜部１３が一体に設けられている。
【００１３】
水溜部１３の円筒状の排出口１４は外周におねじ１５が設けられており、この排出口１４を封止又は開放するキャップ１７には、排出口１４のおねじ１５に螺合するめねじ１８が設けられている。
そして、水溜部１３はドレンパン１０の底部との間に段部などの凹凸が生じないように、例えば熱溶着によりドレンパン１０に接合されている。なお、この水溜部１３を透明又は半透明の材料で形成すれば、内部の汚れ状態などを外部から目視できるので便利である。
【００１４】
上記のように構成したドレンパン１０は、熱交換器３ａ、３ｂの下部において、水溜部１３が設けられた側を低くして傾斜して設置されており、水溜部１３の上方にはドレンポンプ７が設置されている。
【００１５】
２０は本体部２の下面を覆って天井３０に装着された化粧パネルで、風路５に連通する吸込み口２１、風路６に連通する吹出し口２２が設けられており、また、ドレンパン１０の直下には開閉扉２３が設けられている。
【００１６】
次に、上記のように構成したドレンパン１０を備えた天井埋込型空気調和機の作用について説明する。なお、ドレンパン１０の水溜部１３に設けた排水口１４には、キャップ１７が螺合されて水密に封止されているものとする。
運転スイッチをＯＮして例えば冷房運転を行うと、送風機４の駆動により吸込み口２１から室内の空気が吸引され、風路５を経て熱交換器３ａ、３ｂを通過し、熱交換されて冷風となり、風路６を経て吹出し口２２から室内へ吹出される。
【００１７】
このとき、熱交換器３ａ、３ｂの外面には露滴が生成され、水滴となってドレンパン１０内に滴下する。ドレンパン１０に滴下したドレン水は、傾斜した溝１１によって水溜部１３に向かって流れ、水溜部１３に溜まるため、ドレンパン１０の溝１１には残らない。水溜部１３に溜まったドレン水は、ドレンポンプ７により外部へ排出される。このとき、ドレンパン１０の溝１１にはドレン水がなく、また、水溜部１３とドレンパン１０との接合部や水溜部１３の排水溝１４にはねじなどの凹凸部がないので、水垢が付着したり溜ったりすることがない。
【００１８】
また、水溜部１３にドレン水が残っていたり、汚れていることが外部から確認された場合は、化粧パネル２０に設けた開閉蓋２３を開放し、キャップ１７を外して水溜部１３内のドレン水を排出し、あるいは排水口１４から内部を清掃すればよく、これらの作業が終わったときは、再びキャップ１７で排水口１４を封止し、開閉蓋２３を閉じればよい。このとき、排水口１４の内壁にはねじなどの凹凸がないので、ドレン水が付着したり溜まったりすることがない。なお、排水口１４の外周の上部に例えばコイルばねのごとき弾性体１６を介装すれば、キャップ１７の締めすぎを緩衝し、また、キャップ１７を取り外すときにその戻り力により回転が容易になる。
さらに、水溜部１３の排水口１４及びキャップ１７をペットボトルの規格品と同形状にすれば、使用済みのペットボトルを再利用することができる。
【００１９】
上記の説明では、図示の冷蔵庫及びドレンパンに本発明を実施した場合を示したが、これに限定するものではなく、他の構造の冷蔵庫及びドレンパンにも本発明を実施することができる。
【００２０】
本発明によれば、ドレンパン１０の一方の端部の底部に、下端部の外周におねじ１５を有する円筒状の排水溝１４が設けられ、ドレンパン１０の流水溝１１と連通するほぼ漏斗状の水溜部１３を一体に設け、この排水口１４をめねじ１８を有するキャップ１７で開閉可能に封止するように構成し、熱交換器３ａ、３ｂからドレンパン１０に滴下したドレン水をこの水溜部１３に集約するようにしたので、ドレンポンプ７により確実にドレン水を排出することができる。また、ドレンパン１０の流水溝１１にドレン水が溜まって水垢が付着することがないので、定期的なメンテナンスの回数を減らすことができる。
【００２１】
また、水溜部１３に若しドレン水が残っているときは、キャップ１７を外して排水口１４からドレン水を排出すればよく、この間、排水口１４の内壁にはねじ等の凹凸がなく平坦なので、水垢が溜ったり固化したりすることがない。
さらに、水溜部１３を透明又は半透明の材料で形成すれば、内部の状態が外部から容易に確認できるため、適宜残っているドレン水を排出し、あるいは清掃できるので、常に清潔に保つことができる。
【符号の説明】
【００２２】
１  天井埋込型空気調和機、２  本体部、３ａ、３ｂ  熱交換器、４  送風機、７  ドレンポンプ、１０  ドレンパン、１３  水溜部、１４  排水口、１５  おねじ、１７  キャップ、１８  めねじ。
【図１】
2010169330.tif 000003
【図２】
2010169330.tif 000004
【図３】
2010169330.tif 000005